(57)【要約】      （修正有）【課題】    装置内水圧のレベルの高、低に関係なく入水流の方向を自動的に切り換えでることのできる揺動スプリンクラー用の入水口自動切換装置を提供する。【解決手段】  可動揺動座５２’の上面には２つの押出面が配置されてその中央部に凹型の囲込み限定空間５２３’を限定しており、前記作動ユニット５３’は、付勢スティック５３２’に接続している駆動軸５３１’を有し、囲込み限定空間内で作動する付勢スティック５３２’に連携して移動するようになるので、これにより、スプリンクラー制御ユニットが入水口切換操作中に抑制接続体によって設定された限定位置まで揺動しても、前記付勢スティックの揺動角度が前記囲込み限定空間の中で限定され、そこで徐々に力が蓄積されてゆくことにより、操作中の水圧の高、低に関わりなく、可動揺動座５２’を瞬間的に跳ね返すようにする構成とした。【選択図】  図３
2007152335.tif 000002
【特許請求の範囲】
【請求項１】
角度揺動運動を産出するための揺動作用を駆動するスプリンクラー制御ユニットを備えた揺動スプリンクラー用の入水口自動切換装置であって、
前記スプリンクラー制御ユニットにはブレード付き歯車装置が内蔵され、作動ユニットと可動揺動座とを有する入水口切換装置と共に作動するようになっており、可動揺動座の底部両端は水停止端部となっていて、連結ユニットには２個の水出口ポートが相対向して限定され、装置の運転中に前記２個の水出口ポートが選択的に交互にそれぞれ前記水停止端部の内の対応する方の端部によって塞がれるように構成されると共に、前記可動揺動座の上面には２つの押出面が配置されてその中央部に凹型の囲込み限定空間を限定しており、前記作動ユニットは、付勢スティックに接続している駆動軸を有し、囲込み限定空間内で作動する付勢スティックに連携して移動するようになるので、これにより、スプリンクラー制御ユニットが入水口切換操作中に抑制接続体によって設定された限定位置まで揺動しても、前記付勢スティックの揺動角度が前記囲込み限定空間の中で限定され、そこで徐々に力が蓄積されてゆくことにより、操作中の水圧の高、低に関わりなく、可動揺動座を瞬間的に跳ね返すようにすることを特徴とする揺動スプリンクラー用の入水口自動切換装置。
【請求項２】
前記連結ユニットには１対の垂直ボードが配設されており、各々の垂直ボードには抑制溝部が形成されており、各々の前記抑制溝部のＵ字形底端部にはそれぞれ旋回係止部が限定されており、前記１対の水出口ポートは前記１対の垂直ボードの間に配置され、前記可動揺動座の両側面にはそれぞれ旋回用突出部が形成されており、これにより、前記旋回用突出部は前記抑制溝部に沿って垂直ボードを垂直に下方へ案内移動され，前記旋回係止部によって適所に旋回可能に保持されるので、前記可動揺動座が前後に揺動されるようになり、この揺動により、１対になる前記水出口ポートのどちらか一方を交互に選択的に塞ぐことができるようにしたことを特徴とする請求項１記載の揺動スプリンクラー用の入水口自動切換装置。
【請求項３】
前記作動ユニットはプラスチック製であることを特徴とする請求項１記載の揺動スプリンクラー用の入水口自動切換装置。
【請求項４】
前記作動ユニットにはその中央部にテーパ付き部分が形成されており、密閉効果をもたらすために、前記作動ユニットを介してそのテーパ部に対し密閉リングが密接状態に配置されるようにしたことを特徴とする請求項１記載の揺動スプリンクラー用の入水口自動切換装置。
【請求項５】
前記テーパ付き部分の底面には、２枚の強化用脚部が相対向して互いに平行に配設されていることを特徴とする請求項４記載の揺動スプリンクラー用の入水口自動切換装置。
【請求項６】
可動揺動座の頂部には、小さな囲込み限定空間と作動空間とが形成され、それぞれの空間には低押出面と高押出面とが相対向して限定されており、前記付勢スティックは柔軟な平板で構成され、前記作動ユニットと一体に形成されおり、前記付勢スティックが前記可動揺動座の作動空間に配置されるようになり、該付勢スティックの先端部がどちらか一方の前記押出面に強く接触して密着して前記抑制接続体と共に協働して前記水係止端部の内の一方を旋回させ、片方の水係止端部を密閉し、他方を開状態にするようにしたことを特徴とする請求項１記載の揺動スプリンクラー用の入水口自動切換装置。
【請求項７】
作動ユニットは、その駆動軸の底部側に、付勢スティック手段として機能するバネを取り付けるためのバネ係合柱部が配設されることを特徴とする請求項１記載の揺動スプリンクラー用の入水口自動切換装置。
【請求項８】
前記駆動軸とバネ係合柱部との間にはテーパ付き部分が限定されており、密閉目的を果たすため、密閉用リングが前記テーパ付き部分に係合されるようになることを特徴とする請求項７記載の揺動スプリンクラー用の入水口自動切換装置。
【請求項９】
操作ユニット下方部には垂直方向にスロット開口が配設されており、その中央部に付勢スティックが配設され、その先端が前記可動揺動座の囲込み限定空間と接触係合されるようにしたことを特徴とする請求項１記載の揺動スプリンクラー用の入水口自動切換装置。
【請求項１０】
作動ユニット下方部には垂直方向にスロット開口が配設されており、付勢スティックは、可動揺動座からその囲込み限定空間を介して上方へ向かって配設されて、前記作動ユニットの垂直スロット開口と接触係合されるようにしたことを特徴とする請求項１記載の揺動スプリンクラー用の入水口自動切換装置。
【発明の詳細な説明】
【技術分野】
【０００１】
本発明は、揺動スプリンクラー用の入水口自動切換装置に関し、更に具体的に言うと、水圧のレベルが高いか低いかに関係なく入水流の方向を自動的に切り換えることができるようにした揺動スプリンクラー用の入水口自動切換装置に関する。
【背景技術】
【０００２】
一般的に、園芸用に用いられる通常の散水スプリンクラーには、欧州特許ＥＰ０８２６４２７Ａ２の図１に示すような、水流の方向を変更するための切換装置が備わっている。
図１からわかるように、この従来技術の連結ユニット１０は、１組の水出口ポートが配置され、この水出口ポートが、バネ１２と制御スティック１３とによって制御される制御ユニット１４に制御可能に係合されている構成で、水圧によってスプリンクラーが操作できるようになっている。
【０００３】
実際の使用においては、制御スティック１３が作動装置によって駆動され、揺動して制限ユニットの係止溝の一側に接触すると、制御スティック１３が強制的に別の方向へと偏圧されて、制御スティック１３の下方に配置されたバネ１２が制御ユニット１４の平坦板を駆動して他側へ切り替え、もう一方の水出口ポート１１を塞いで、水流の方向を変える、というように作動する。
したがって、制御ユニット１４がスムーズに切り換えられるようにするには、バネ１２のねじり力を徐々に制御スティック１３に加えていかなければいけない。しかし、バネが制限空間に限定されていない場合には、バネに産出されるねじりが集中せずに簡単に散逸してしまい、水圧が高い場合には、バネ１２のねじり力が制限ユニット１４の密閉端部の吸引力よりも小さくなってしまう。これでは水出口ポート１１が密封されず、バネ１２が制御ユニット１４に相当長い間隣接して変形した状態のままになってしまう。その結果、バネは構造疲労を起こし、寿命が短くなってしまう。
【特許文献１】欧州特許ＥＰ０８２６４２７Ａ２
【発明の開示】
【発明が解決しようとする課題】
【０００４】
したがって、本発明は、従来技術の欠点を改善して、入水口切換装置が、囲込み限定空間で移動するように操作ユニットの付勢スティックを制限し、可動揺動座の前記囲込み限定空間内に偏向角を形成することで、この囲込み限定空間の押出面の１つに瞬間力を発生させるように付勢スティックの曲げエネルギーが集中されるようにし、これにより、操作中の水圧レベルに関係なく、水の流入方向を変更するよう他方位置へ可動揺動座が切り換えられるように駆動するようにできるようにした揺動スプリンクラー用の入水口自動切換装置を提供することを第１の目的とする。
【０００５】
本発明の第２の目的は、可動揺動座が他方位置へ旋回された後、可動揺動座の囲込み限定空間内で押出面の１つに対して曲がった状態で隣接している付勢スティックが可動揺動座に対して最大力をもたらし、これにより、一方の水出口ポートが効果的に密閉され、他方の水出口ポートが開くようにさせる、というようにして、揺動スプリンクラー用の入水口自動切換装置に対して最高の操作方法を提供することにある。
【課題を解決するための手段】
【０００６】
本発明は、角度揺動運動を産出するための揺動作用を駆動するスプリンクラー制御ユニットを備えた揺動スプリンクラー用の入水口自動切換装置であって、前記スプリンクラー制御ユニットにはブレード付き歯車装置が内蔵され、作動ユニットと可動揺動座とを有する入水口切換装置と共に作動するようになっており、可動揺動座の底部両端は水停止端部となっていて、連結ユニットには２個の水出口ポートが相対向して限定され、装置の運転中に前記２個の水出口ポートが選択的に交互にそれぞれ前記水停止端部の内の対応する方の端部によって塞がれるように構成されると共に、前記可動揺動座の上面には２つの押出面が配置されてその中央部に凹型の囲込み限定空間を限定しており、前記作動ユニットは、付勢スティックに接続している駆動軸を有し、囲込み限定空間内で作動する付勢スティックに連携して移動するようになるので、これにより、スプリンクラー制御ユニットが入水口切換操作中に抑制接続体によって設定された限定位置まで揺動しても、前記付勢スティックの揺動角度が前記囲込み限定空間の中で限定され、そこで徐々に力が蓄積されてゆくことにより、操作中の水圧の高、低に関わりなく、可動揺動座を瞬間的に跳ね返すようにすることを特徴とする。
【０００７】
請求項２の発明は、請求項１記載の揺動スプリンクラー用の入水口自動切換装置において、前記連結ユニットには１対の垂直ボードが配設されており、各々の垂直ボードには抑制溝部が形成されており、各々の前記抑制溝部のＵ字形底端部にはそれぞれ旋回係止部が限定されており、前記１対の水出口ポートは前記１対の垂直ボードの間に配置され、前記可動揺動座の両側面にはそれぞれ旋回用突出部が形成されており、これにより、前記旋回用突出部は前記抑制溝部に沿って垂直ボードを垂直に下方へ案内移動され，前記旋回係止部によって適所に旋回可能に保持されるので、前記可動揺動座が前後に揺動されるようになり、この揺動により、１対になる前記水出口ポートのどちらか一方を交互に選択的に塞ぐことができるようにしたことを特徴とする。
【０００８】
請求項３の発明は、請求項１記載の揺動スプリンクラー用の入水口自動切換装置において、前記作動ユニットはプラスチック製であることを特徴とする。
請求項４の発明は、請求項１記載の揺動スプリンクラー用の入水口自動切換装置において、前記作動ユニットにはその中央部にテーパ付き部分が形成されており、密閉効果をもたらすために、前記作動ユニットを介してそのテーパ部に対し密閉リングが密接状態に配置されるようにしたことを特徴とする。
請求項５の発明は、請求項４記載の揺動スプリンクラー用の入水口自動切換装置において、前記テーパ付き部分の底面には、２枚の強化用脚部が相対向して互いに平行に配設されていることを特徴とする。
【０００９】
請求項６の発明は、請求項１記載の揺動スプリンクラー用の入水口自動切換装置において、可動揺動座の頂部には、小さな囲込み限定空間と作動空間とが形成され、それぞれの空間には低押出面と高押出面とが相対向して限定されており、前記付勢スティックは柔軟な平板で構成され、前記作動ユニットと一体に形成されおり、前記付勢スティックが前記可動揺動座の作動空間に配置されるようになり、該付勢スティックの先端部がどちらか一方の前記押出面に強く接触して密着して前記抑制接続体と共に協働して前記水係止端部の内の一方を旋回させ、片方の水係止端部を密閉し、他方を開状態にするようにしたことを特徴とする。
【００１０】
請求項７の発明は、請求項１記載の揺動スプリンクラー用の入水口自動切換装置において、作動ユニットは、その駆動軸の底部側に、付勢スティック手段として機能するバネを取り付けるためのバネ係合柱部が配設されることを特徴とする。
請求項８の発明は、請求項７記載の揺動スプリンクラー用の入水口自動切換装置において、前記駆動軸とバネ係合柱部との間にはテーパ付き部分が限定されており、密閉目的を果たすため、密閉用リングが前記テーパ付き部分に係合されるようになることを特徴とする。
【００１１】
請求項９の発明は、請求項１記載の揺動スプリンクラー用の入水口自動切換装置において、操作ユニット下方部には垂直方向にスロット開口が配設されており、その中央部に付勢スティックが配設され、その先端が前記可動揺動座の囲込み限定空間と接触係合されるようにしたことを特徴とする。
【００１２】
請求項１０の発明は、請求項１記載の揺動スプリンクラー用の入水口自動切換装置において、作動ユニット下方部には垂直方向にスロット開口が配設されており、付勢スティックは、可動揺動座からその囲込み限定空間を介して上方へ向かって配設されて、前記作動ユニットの垂直スロット開口と接触係合されるようにしたことを特徴とする。
【発明の効果】
【００１３】
上記の目的を達成するため、本発明の揺動スプリンクラー用の入水口自動切換装置は、囲込み限定空間で移動するように操作ユニットの付勢スティックを制限し、可動揺動座の前記囲込み限定空間内に偏向角を形成することで、この囲込み限定空間の押出面の１つに瞬間力を発生させるように付勢スティックの曲げエネルギーが集中されるようにしたので、操作中の水圧レベルに関係なく、自動的に安定して水の流入方向を変更するよう可動揺動座が切り換えられるという利点がある。
【００１４】
また、本発明では、可動揺動座が他方位置へ旋回された後、付勢スティックが可動揺動座の囲込み限定空間内で可動揺動座に対して最大力をもたらすようにしたので、一方の水出口ポートが密閉されると、自動的に他方の水出口ポートが開き、この動作により優れた切り換え効果をもたらすことができる。
【発明を実施するための最良の形態】
【００１５】
以下、添付図面を参照して本発明の好適な実施の形態を詳細に説明する。
図２は、本発明の入水口自動切換装置を内蔵した水平タイプのスプリンクラーの散水スプレイ揺動制御装置全体の概略断面図で、図３は、本発明の入水口自動切換装置の第１実施例の分解斜視図である。図４は本発明の第１実施例の組立状態断面図である。また、図５は、本発明の第１実施例においての入水状態を示す概略断面図。図６は垂直タイプの揺動スプリンクラーに本発明の第１実施例の入水口自動切換装置を適用した場合の概略斜視図。図７は本発明の入水口自動切換装置の第２実施例の分解斜視図である。図８は本発明の第２実施例の作動状態を示す概略断面図である。図９は、本図８の実施形態の更に別の作動状態を示す概略断面図で、囲込み限定空間閉じ込められた付勢スティックがねじりエネルギーを徐々に溜めて行き、高いところの押付け面にも低いところの押付け面にも当たっている状態を示す。図１０は図９の状態から切換操作が完了した状態の入水口自動切換装置を示す概略斜視図。図１１は、本発明の入水口自動切換装置の第３実施例の作動状態を示す概略斜視図で、囲込み限定空間に閉じ込められた付勢スティックがねじりエネルギーを徐々に溜めて行き、高いところの押付け面にも低いところの押付け面にも当たっている状態を示す。図１２は図１１の状態から切換操作が完了した状態の入水口自動切換装置を示す概略斜視図。図１３は本発明の第４実施例の組立状態断面図。図１４は本発明の第５実施例の組立状態断面図である。
【実施例１】
【００１６】
図２は、本発明の入水口自動切換装置を内蔵した水平タイプのスプリンクラーの散水スプレイ揺動制御装置全体の概略断面図であって、図６には垂直タイプの実施態様が示されている。このスプリンクラーの散水スプレイ揺動制御装置は、入水口接続体２０、抑制接続体３０、移動体４０、連結ユニット５０、水出口接続体６０、歯車装置７０から構成されている。
【００１７】
入水口接続体２０の入水口ポート２１は、入水量を調整する制御弁２２の調整孔２２１と連通している。抑制接続体３０の一側には抑制用孔３１が配置されており、スプリンクラーの揺動作動時の最大角度を調整できるようになっている。連結ユニット５０は移動体４０と水出口接続体６０との間に設置されている。
歯車装置７０は、その一側が連結ユニット５０の一側と係合した状態で、移動体４０の中に収容されている。歯車装置の前方ギア７０１は固定歯車７１と噛み合って、後方ギア７０２はブレード７２に配設された駆動ギア７２１と噛み合っている。ブレード７２および駆動ギア７２１は、それぞれ、連結ユニット５０の中心から左右両側に位置付け配置されている。
【００１８】
図３，図４にあるように、連結ユニット５０の他側には、２個の出口ポート５１，５１’が隣り合って配設されており、各出口ポートにはそれぞれ左，右反対方向へ向いている傾斜ファセット面５１１，５１１’が形成されている。また、入水口切換装置には、連結ユニット５０と協働して作動する可動揺動座５２’と作動ユニット５３’とが備えられている。
【００１９】
更に、隣り合わせの２個の出口ポート５１，５１’の相対向する側部にはそれぞれ垂直ボード５４１が配置されており、該垂直ボード５４１には制限溝５４１が垂直に限定されている。制限溝５４１の底部はＵ字形の旋回係止部５４１１に終端している。
【００２０】
可動揺動座５２’にはその底部の両側部それぞれの中央に回転突出部５２１’が配設されており、可動揺動座５２’が垂直ボード５４の旋回係止溝５４１に沿って案内されて、Ｕ字形の旋回係止部５４１１によって出口ポート５１，５１’の間に適所に位置付けられるようになっている。この構成により、可動揺動座５２’は回転突出部５２１’に沿って左右に旋回できるようになる。可動揺動座の両端部各々は平坦な水停止端部５２２’となっており、それぞれの水停止端部５２２’は、密閉するために出口ポート５１と５１’とに選択的に係合するようになっている。可動揺動座５２’の上部には押出端部５２４’，５２４’が配置され、これら押出端部を境にした囲込み限定空間５２３’が形成されている。
【００２１】
作動ユニット５３’は、一体に形成された上方駆動軸５３１’と下方付勢スティック５３２’とからで構成されており、両者間にはテーパ部５３３’が配置されている。上方駆動軸５３１’は可動揺動座４０の旋回孔４１を通されてから、抑制接続体３０の抑制用孔３１へと通されて、位置付けられる。
【００２２】
旋回用孔４１の一端部にはリング座４２が配設されており、このリング座に密閉リング４２１が固定され、膨らみのついたテーパ部５３３’に密接した状態になることで密閉効果をもたらす。テーパ部５３３’の底部には、垂直ボード５４の頂部と密接して隣接するようになる垂直強化脚部５３４’が１対に配設されていて、これにより、付勢スティック５３２’の先端部５３２１’が、可動揺動座５２’の上方の囲込み限定空間部５２３’の境界を限定する押出端部５１４へ、更にまた、抑制接続体３０の抑制用孔３１と協働するようにして柔軟に係合するようにさせる。
【００２３】
そして、可動揺動座４２’の一方の水停止端部５２２’が出口ポート５１の楕円形ファセット面５１１と強制的に係合させられると、他方の水出口ポート５１’が開いたままの状態になり、ここへ入水口切換装置が流れ込んでブレードを駆動し、駆動ギア７２１が入水流の方向へ回転させられる。これにより、歯車装置７０、移動体４０、連結ユニット５０、水出口接続体６０が同時に固定歯車７１に沿って同じ方向へ動かされ、水出口接続体６０の回転方向に応答してスプリンクラーユニットが前後方向へ揺動するようにされるようになる。
【００２４】
スプリンクラーユニットが図５に示すような限定位置へ揺動するにつれて、作動ユニット５３’の駆動軸５３１’が抑制接続体３０の抑制用孔３１の片側へ接触するようになる。歯車装置７０が連続して移動すると、抑制用孔３１に制限されていた駆動軸５３１’が連携して付勢スティック５３２’を駆動させて、可動揺動座５２’の囲込み限定空間５２３’内で角度を偏向させ、押出端部５２４’に隣接させる。この状態で、付勢スティック５３２’の端部５３２１’の偏向角度と押出端部５２４’の揺動角度とが合体して瞬発力が発生し、可動揺動座５２’を他方側へ旋回させ、水停止端部５２２’が出口ポート５１’の楕円形ファセット面５１１’と係合するようになる。それに伴い、今度はもう片方の出口ポート５１が開状態に回転させられ、流水の方向が変えられ、その結果、スプリンクラーユニットの揺動方向が変えられることとなる。
【００２５】
したがって、囲込み限定空間５２３’に限定された付勢スティック５３２’が可動揺動座５２’に関し相対偏向角度を産出して、押出端部５２４’に対して瞬発的な押付け力を出すようになる結果、水圧のレベルが高いか低いかに関係なく、入水流の方向の切り換えが簡単にできる。
【実施例２】
【００２６】
図７，図８は、本発明の揺動スプリンクラー用の入水口自動切換装置の第２実施例を示す。
この第２実施例の入水口自動切換装置においても、可動揺動座５２の底部材の両側部中央部に回転突出部５２１があり、この回転突出部５２を連結ユニット５０に配設されている２つの垂直ボード５４それぞれに限定された抑制溝５４１に嵌合させることで、可動揺動座５２が２枚の垂直ボード５４，５４の間に挟まれながら抑制溝５４１に沿って下方へ旋回係止部５４１１に隣接するまで案内移動され、可動揺動座５２が連結ユニット５０の出口ポート５１，５１’の上部に配置される。これにより、可動揺動座５２の回転突出部５２１が、旋回係止部５４１１と出口ポート５１，５１’との間で前後に回転移動する。そうすると、可動揺動座５２の底部材の両端には平坦な水停止端部５２２，５２２が形成されており、それぞれが選択的に交互に出口ポート５１，５１’と係合するようになる。
【００２７】
そして、可動揺動座５２の上方部には、丈の高い押出面５２６，５２６と丈の短い５２５，５２５が向かい合わせに対称に配置されており、これら部材によって境界が限定された、狭い囲込み限定空間５２３と広い操作空間５２４が、可動揺動座５２の上方部に形成されている。
操作ユニット５３は、駆動軸５３１および付勢スティック５３２から構成されるプラスチック一体成型品であって、駆動軸５３１は先細にテーパの付けられた円柱形に形成され、付勢スティック５３２は可撓性のある平坦板に形成され、駆動軸５３１と付勢スティック５３２の間には膨らんでテーパの付いた部分５３３が配置されている。
【００２８】
駆動軸５３１は、移動体４０の旋回用孔４１を通って、抑制接続体３０の抑制孔３１へと通される。旋回用孔４１の一端部にはリング座が配設されており、ここに密閉用リング４２１が配置され、この密閉用リング４２１が駆動軸５０の中間部に配置されたテーパ付き部分５３３に圧力接触することで、密閉効果が達成される。
このテーパ付き部分５３３の底部の両側部には、付勢スティック５３２に対して垂直をなす方向に２枚の強化脚部５３４がそれぞれ配置されていて、連結ユニット５０の２枚の垂直ボード５４，５４のそれぞれの頂部に当接係合するようになっている。これにより、付勢スティック５３２が可動揺動座５２の作動空間５２３に嵌合されてその底端部５３２１が、囲込み限定空間５２３の丈の低い方の押出面５２５に対して圧力係合し、これにより更に抑制接続体３０の抑制孔３１と連携して作用することにより、可動揺動座５２の一方の停止端部５２２を出口ポート５１の楕円形ファセット面と密閉係合するようにさせる。
【００２９】
このように一方の出口ポート５１が楕円形ファセット面と密閉係合すると同時に、他方の出口ポート５１’は開いた状態になって、水が流れ込んで行くことで、流入水の流れと同じ方向にブレード７２と駆動ギア７２１とを駆動し、歯車装置７０、移動体４０、連結ユニット５０、水出口接続体６０へ圧力をもたらして、これら部材が共に同時に固定歯車７１に沿って同じ方向へ動かされ、水出口接続体６０の回転方向に応答してスプリンクラーユニットが前後方向へ揺動するようにされるようになる。
【００３０】
スプリンクラーユニットが図９，１０に示すような限定位置へ揺動するにつれて、作動ユニット５３の駆動軸５３１が抑制接続体３０の抑制用孔３１の片側へ接触するようになる。歯車装置７０が連続して移動すると、抑制用孔３１に制限されていた駆動軸５３１が、連携した付勢スティック５３２を駆動させて行き、それにつれて可動揺動座５２の作動空間内の付勢スティック５３２が柔軟に曲がる。このとき、付勢スティック５３２の先端部５３２１が囲込み限定空間５２３での曲げ作用により低い押出面５２５に当接してバネ力を構築することで力を発生し、先端部５３２１が可動揺動座５２を瞬間的に押付けて他方側へ旋回させられることで、他方側の水停止他布粘着シート５２２が他方側の出口ポート５１’の楕円形ファセット面５１１’と係合させられるようになる。
【００３１】
この後すぐに、付勢スティック５２が、底部に集中し低押出面５２５に加わったその弾性力で元の状態に復帰しようと跳ね返ることで、出口ポート５１’の密閉状態を確実にすると共に他方側出口ポート５１の開状態を確実にする。この動作により、入水方向切り換えができることにより、スプリンクラーユニットの揺動方向を変えることができる。
【００３２】
また、高水圧状態では、付勢スティック５３２が適切に湾曲して曲げられて、作動空間５２４にエネルギーを蓄え、低押出面５２５と高押出面５２６の両方に接触するようになるので、これにより、付勢スティック５３２の弾性曲げ力を出口ポート５１’に掛かる高水圧よりも大きくさせ、入水方向を瞬間的に切り換えるのを確実にする。したがって、水圧レベルの高低に関係なく、操作空間５２４と囲込み限定空間５２３において作動する作動ユニット５３と付勢スティック５３２の連携作動が充分なエネルギーを蓄えることができると共に、高，低の押出面５２６，５２５の協働作用をも伴い、可動揺動座５２を確実に切り換えて、入水方向を変えることができる。
【実施例３】
【００３３】
図１１および１２に、本発明の第３実施例を示す。この実施例の作動ユニット５３“にはテーパ部５３１”が配設されていて、その底部から係合柱が下方に伸び出ていて、その外側にバネ・タイプの付勢スティック５３３“が配置されていて、作動空間５２４”および囲込み限定空間５２３“の内に設置される。付勢スティック５３３”の先端部が低押出面５２５“に当接して、出口ポート５１”が密閉されると、他方の出口ポート５１を介して水が流れ出るようになる。
【００３４】
バネ型の付勢スティック５３３“が可撓性を持って湾曲することにより、また、作動空間５２４”よび囲込み限定空間５２３“における高、低の押出面５２６”，５２５“の働きにより、これら部材が相互に当接したときの相互作用で、バネ型付勢スティック５３３”が力を分散させずに曲げエネルギーを蓄えることができるので、水圧のレベルに関係なく、スプリンクラーを正常に作動させることができる。
【００３５】
可動揺動座５２“が新しい位置へ切り換えられた後、バネ型付勢スティック５３３は元の状態に戻って、通常状態でその可撓性を保つようになるので、製品の使用寿命を伸ばすことができる。また、バネ型付勢スティック５３３”が 元に復帰してもその弾性力は底端部５３３１”のところに集中していて、低押出面５２５“に充分に当接しているので、出口ポート５１”は確実に最高の状態で密閉されている。
【実施例４】
【００３６】
図１３は本発明の第４実施例で、入水口自動切換装置の作動ユニット８０には、テーパ部８１の底部から下方へ伸びる縦長のスロット開口８２が配設されていて、付勢スティック８３が開口８２の中心を通って配置されてあり、可動揺動座５２’の囲込み限定空間５２３’まで伸びている。
【００３７】
作動ユニット８０の駆動軸８４の作動に連携して、可動揺動座が切り換えられ、入水の方向を変える。また、水圧が高レベルの場合、付勢スティック８３が柔軟性をもって曲げられると、エネルギーが蓄積されると共に、開口８２の先端部８２１が湾曲した付勢スティック８３に当接して、可動揺動座５２’を押付けるための補助力を産出するので、水圧のレベルに関係なく入水方向を切り換えることができる。
【実施例５】
【００３８】
図１４に本発明の第５実施例を示す。作動ユニット８０’には、テーパ部８１’の底部から短尺の垂直スロット開口８２’が下方に向かって形成されている。可動揺動座９０の上方には囲込み限定空間９１が形成されて、長尺の付勢スティック９２が可動揺動座９０の底部から囲込み限定空間９１からスロット開口８２’へと伸長して配置されているという構成で、付勢スティック９２は開口８２’に当接した状態にあり、駆動軸８３’が或る一方側へ押付けられるにしたがって、開口８２’により限定される一隅部８２１’が強制的に付勢スティック９２と可動揺動座９０を押し上げ、駆動軸８３’を反対方向へ旋回し、これにより、入水方向を切り換えるようにする。
【００３９】
以上のように、本発明の好適な実施例を説明したが、本発明は、上記実施例に限定されることなく、特許請求の範囲を逸脱しない範囲における各種の変形，改良は本発明の請求範囲に包含されることは言うまでもない。
【図面の簡単な説明】
【００４０】
【図１】従来技術のスプリンクラーの散水スプレイ揺動制御装置に用いられる連結ユニットの斜視図。
【図２】本発明の入水口自動切換装置を内蔵した水平タイプのスプリンクラーの散水スプレイ揺動制御装置全体の概略断面図
【図３】本発明の入水口自動切換装置の第１実施例の分解斜視図。
【図４】本発明の第１実施例の組立状態断面図。
【図５】本発明の第１実施例においての入水状態を示す概略断面図。
【図６】垂直タイプの揺動スプリンクラーに本発明の第１実施例の入水口自動切換装置を適用した場合の概略斜視図。
【図７】本発明の入水口自動切換装置の第２実施例の分解斜視図。
【図８】本発明の第２実施例の作動状態を示す概略断面図。
【図９】図８の実施形態の更に別の作動状態を示す概略断面図で、制限空間閉じ込められた付勢スティックがねじりエネルギーを徐々に溜めて行き、高いところの押付け面にも低いところの押付け面にも当たっている状態を示す。
【図１０】図９の状態から切換操作が完了した状態の入水口自動切換装置を示す概略斜視図。
【図１１】本発明の入水口自動切換装置の第３実施例の作動状態を示す概略斜視図で、制限空間に閉じ込められた付勢スティックがねじりエネルギーを徐々に溜めて行き、高いところの押付け面にも低いところの押付け面にも当たっている状態を示す。
【図１２】図１１の状態から切換操作が完了した状態の入水口自動切換装置を示す概略斜視図。
【図１３】本発明の第４実施例の組立状態断面図。
【図１４】本発明の第５実施例の組立状態断面図である。
【符号の説明】
【００４１】
２０        入水口接続体
２１        入水口ポート
２２        制御弁
２２１      調整孔
３０        抑制接続体
３１        抑制用孔
４０        移動体
４１        旋回孔
４２        リング座
４２１      密閉リング
５０        連結ユニット
５１，５１’    水出口ポート
５１１，５１１’       傾斜ファセット面
５２’      可動揺動座
５２１’    回転突出部
５２２’    水停止端部
５３’      作動ユニット
５２３’    囲込み限定空間
５２４，５２４’       押出端部
５３’      作動ユニット
５３１’    上方駆動軸
５３２’    下方付勢スティック
５３３’    テーパ部
５４        垂直ボード
５４１      旋回係止溝
５４１１    Ｕ字形の旋回係止部
６０        水出口接続体
７０        歯車装置
７０２      後方ギア
７１        固定歯車
７２        ブレード
７２１      駆動ギア
【図１】
2007152335.tif 000003
【図２】
2007152335.tif 000004
【図３】
2007152335.tif 000005
【図４】
2007152335.tif 000006
【図５】
2007152335.tif 000007
【図６】
2007152335.tif 000008
【図７】
2007152335.tif 000009
【図８】
2007152335.tif 000010
【図９】
2007152335.tif 000011
【図１０】
2007152335.tif 000012
【図１１】
2007152335.tif 000013
【図１２】
2007152335.tif 000014
【図１３】
2007152335.tif 000015
【図１４】
2007152335.tif 000016